【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
複数の端末とサーバとを有するシステムであって、
前記複数の端末それぞれは、
他の端末と対面したか否かを示す対面情報を取得する第１のセンサと、
前記端末の加速度を示す加速度情報を取得する第２のセンサと、
前記対面情報及び前記加速度情報を、前記対面情報及び前記加速度情報を取得した時刻を示す時刻情報とともに前記サーバへ送信する送信装置と、を有し、
前記サーバは、
前記対面情報、前記加速度情報、及び前記時刻情報を記録する記録装置と、
前記記録装置に記録された対面情報から前記端末と前記他の端末との対面を検出する対面判別部と、前記記録装置に記録された加速度情報から前記端末を装着する人物の活動状況を計測する加速度データ処理部と、を有する制御部と、を有し、
前記時刻情報に基づいて、前記他の端末との対面状況と前記活動状況とを対応付けて表示することを特徴とするシステム。
【請求項２】
請求項１において、
前記制御部は、前記加速度情報から前記端末を装着する人物の行動パターンを算出し、
前記時刻情報に基づいて、前記他の端末との対面状況と前記行動パターンとを対応付けて表示することを特徴とするシステム。
【請求項３】
請求項２において、
前記行動パターンは、前記端末を装着する人物が静止しているか、歩行しているか、又は着座しているかを示すことを特徴とするシステム。
【請求項４】
請求項１において、
前記制御部は、前記加速度情報から前記端末の動きの激しさを示す活動度を算出し、
前記時刻情報に基づいて、前記他の端末との対面状況と前記活動度とを対応付けて表示することを特徴とするシステム。
【請求項５】
請求項１において、
前記第１のセンサは、前記他の端末から送信される赤外線信号を受信する赤外線センサであることを特徴とするシステム。
【請求項６】
複数の端末それぞれから送信される、他の端末と対面したか否かを示す対面情報、前記端末の加速度を示す加速度情報、及び前記対面情報と前記加速度情報を取得した時刻を示す時刻情報を受信する受信装置と、
前記対面情報、前記加速度情報、及び前記時刻情報を記録する記録装置と、
前記記録装置に記録された対面情報から前記端末と前記他の端末との対面を検出する対面判別部と、前記記録装置に記録された加速度情報から前記端末を装着する人物の活動状況を計測する加速度データ処理部と、を有する制御部と、を有し、
前記時刻情報に基づいて、前記他の端末との対面状況と前記活動状況とを対応付けて、接続される表示装置に出力することを特徴とするサーバ。
【請求項７】
請求項６において、
前記制御部は、前記加速度情報から前記端末を装着する人物の行動パターンを算出し、
前記時刻情報に基づいて、前記他の端末との対面状況と前記行動パターンとを対応付けて出力することを特徴とするサーバ。
【請求項８】
請求項７において、
前記行動パターンは、前記端末を装着する人物が静止しているか、歩行しているか、又は着座しているかを示すことを特徴とするサーバ。
【請求項９】
請求項６において、
前記制御部は、前記加速度情報から前記端末の動きの激しさを示す活動度を算出し、
前記時刻情報に基づいて、前記他の端末との対面状況と前記活動度とを対応付けて出力することを特徴とするサーバ。
【請求項１０】
端末装置のインタラクションデータを表示するインタラクションデータ表示装置であって、
前記インタラクションデータは、前記端末装置が他の前記端末装置と対面したか否かを示す第１情報と、前記端末装置の状態を示す情報であって、前記第１情報及び前記端末装置の位置を示す情報を除く第２情報と、を含み、
前記インタラクションデータ表示装置は、前記端末装置から送信されたインタラクションデータを受信する受信部と、前記インタラクションデータを表示する表示部と、を備え、
前記表示部は、前記受信部が受信した前記インタラクションデータに含まれる前記第１情報及び前記第２情報を、前記第１及び第２情報が取得された時刻に基づいて対応付けて表示することを特徴とするインタラクションデータ表示装置。
【請求項１１】
請求項１０において、
前記第１情報は、前記端末装置が対面した前記他の端末装置を識別する識別情報を含むことを特徴とするインタラクションデータ表示装置。
【請求項１２】
請求項１１において、
前記第１情報は、前記他の端末装置から、前記他の端末装置を識別する識別情報を含む無線信号を受信したか否かを示す情報を含むことを特徴とするインタラクションデータ表示装置。
【請求項１３】
請求項１２において、
前記第２情報は、前記端末装置の加速度を示す加速度情報を含むことを特徴とするインタラクションデータ表示装置。
【請求項１４】
請求項１３において、
第１の前記インタラクションデータに含まれる前記第１情報及び前記第２情報は、それぞれ、第１の前記端末装置が対面した前記第１の端末装置以外の端末装置を識別する識別情報、及び、前記第１の端末装置の加速度を示す加速度情報を含み、
第２の前記インタラクションデータに含まれる前記第１情報及び前記第２情報は、それぞれ、第２の前記端末装置が対面した前記第２の端末装置以外の端末装置を識別する識別情報と、前記第２の端末装置の加速度を示す加速度情報と、を含み、
前記表示部は、前記第１のインタラクションデータ及び前記第２のインタラクションデータを、時刻に基づいて相互に対応付けて表示することを特徴とするインタラクションデータ表示装置。
【請求項１５】
請求項１４において、
前記第１のインタラクションデータは、
前記第１のインタラクションデータに含まれる前記第１情報と、前記第１の端末装置が前記無線信号を受信した時刻とを対応付ける情報を含み、
前記第１のインタラクションデータに含まれる前記第２情報と、前記第１の端末装置の加速度が測定された時刻とを対応付ける情報を含み、
前記第２のインタラクションデータは、
前記第２のインタラクションデータに含まれる前記第１情報と、前記第２の端末装置が前記無線信号を受信した時刻とを対応付ける情報を含み、
前記第２のインタラクションデータに含まれる前記第２情報と、前記第２の端末装置の加速度が測定された時刻とを対応付ける情報を含むことを特徴とするインタラクションデータ表示装置。
【請求項１６】
請求項１５において、
前記表示部は、前記第１情報と、前記第１情報が対応付けられている時刻と同一の時刻に対応付けられている前記第２情報と、を対応付けて表示することを特徴とするインタラクションデータ表示装置。
【請求項１７】
請求項１６において、
前記表示部は、
前記第１のインタラクションデータに含まれる前記第１情報及び前記第２情報を、前記第１の端末装置を識別する識別情報と対応付けて表示し、
前記第２のインタラクションデータに含まれる前記第１情報及び前記第２情報を、前記第２の端末装置を識別する識別情報と対応付けて表示することを特徴とするインタラクションデータ表示装置。
【請求項１８】
請求項１７において、
前記表示部は、
前記表示部に含まれる表示画面に、第１時間軸を表示し、
さらに、前記第１時間軸と同一の尺度及び同一の方向を有する第２時間軸を、前記表示画面の前記第１時間軸の延長線上に表示し、
前記第１情報に対応付けられている時刻を前記第１時間軸に対応付けることによって、前記第１情報を表示し、
前記第２情報に対応付けられている時刻を前記第２時間軸に対応付けることによって、前記第２情報を表示することを特徴とするインタラクションデータ表示装置。
【請求項１９】
請求項１８において、
前記表示部に含まれる表示画面は、前記第１時間軸及び前記第２時間軸と略垂直方向に複数の領域に区切られ、
前記表示部は、
前記第１のインタラクションデータに含まれる前記第１情報に対応付けられている時刻を前記第１時間軸に対応付けることによって、第１の前記領域に、前記第１のインタラクションデータに含まれる前記第１情報を表示し、
前記第１のインタラクションデータに含まれる前記第２情報に対応付けられている時刻を前記第２時間軸に対応付けることによって、前記第１の領域に、前記第１のインタラクションデータに含まれる前記第２情報を表示し、
前記第２のインタラクションデータに含まれる前記第１情報に対応付けられている時刻を前記第１時間軸に対応付けることによって、第３の前記領域に、前記第２のインタラクションデータに含まれる前記第１情報を表示し、
前記第２のインタラクションデータに含まれる前記第２情報に対応付けられている時刻を前記第２時間軸に対応付けることによって、前記第３の領域に、前記第２のインタラクションデータに含まれる前記第２情報を表示することを特徴とするインタラクションデータ表示装置。
【請求項２０】
端末装置のインタラクションデータを処理するインタラクションデータ処理装置であって、
前記インタラクションデータは、前記端末装置が他の前記端末装置と対面したか否かを示す第１情報と、前記端末装置の状態を示す情報であって、前記第１情報及び前記端末装置の位置を示す情報を除く第２情報と、を含み、
前記インタラクションデータ処理装置は、前記端末装置から送信されたインタラクションデータを受信する受信部と、前記受信したインタラクションデータを処理する制御部と、前記処理されたインタラクションデータを出力する出力部と、を備え、
前記受信部は、前記端末装置から送信されたインタラクションデータを受信し、
前記制御部は、前記受信したインタラクションデータを処理し、
前記出力部は、前記処理されたインタラクションデータに含まれる前記第１情報及び前記第２情報を、時刻に基づいて相互に対応付けて出力することを特徴とするインタラクションデータ処理装置。
【請求項２１】
請求項２０において、
前記第１情報は、前記端末装置が対面した前記他の端末装置を識別する識別情報を含むことを特徴とするインタラクションデータ処理装置。
【請求項２２】
請求項２１において、
前記第１情報は、前記他の端末装置から、前記他の端末装置を識別する識別情報を含む無線信号を受信したか否かを示す情報を含むことを特徴とするインタラクションデータ処理装置。
【請求項２３】
請求項２２において、
前記第２情報は、前記端末装置の加速度を示す加速度情報を含むことを特徴とするインタラクションデータ処理装置。
【請求項２４】
請求項２３において、
前記制御部は、前記第２情報に含まれる加速度情報に基づいて、前記第２情報を送信した端末装置の移動の状態を分類し、前記分類された移動の状態を示す情報を前記第２情報に追加することを特徴とするインタラクションデータ処理装置。
【請求項２５】
請求項２４において、
前記制御部は、前記第２情報に含まれる加速度情報の所定の時間範囲における平均値を算出し、前記算出された平均値を前記第２情報に追加することを特徴とするインタラクションデータ処理装置。
【請求項２６】
請求項２５において、
前記制御部は、前記第２情報に含まれる加速度情報に基づいて、前記第２情報を送信した端末装置の加速度の変化量を算出し、前記算出された加速度の変化量を示す情報を前記第２情報に追加することを特徴とするインタラクションデータ処理装置。
【請求項２７】
請求項２６において、
前記端末装置は、前記無線信号を受信したか否かを所定の時間間隔で判別し、
前記制御部は、前記所定の時間間隔より長い所定の期間に前記端末装置が前記無線信号を受信した回数を計数し、
前記計数された回数が所定の閾値を超える場合、前記無線信号を受信した前記端末装置が、前記無線信号を送信した前記端末装置と前記所定の期間対面していたことを示す情報を前記第１情報に追加することを特徴とするインタラクションデータ処理装置。
【請求項２８】
請求項２７において、
第１の前記インタラクションデータに含まれる前記第１情報は、第１の前記端末装置が対面した前記第１の端末装置以外の端末装置を識別する識別情報を含み、
前記第１のインタラクションデータは、前記第１のインタラクションデータに含まれる前記第１情報と、前記第１の端末装置が前記識別情報を含む無線信号を受信した時刻とを対応付ける情報を含み、
第２の前記インタラクションデータに含まれる前記第１情報は、第２の前記端末装置が対面した前記第２の端末装置以外の端末装置を識別する識別情報を含み、
前記第２のインタラクションデータは、前記第２のインタラクションデータに含まれる前記第１情報と、前記第２の端末装置が前記識別情報を含む無線信号を受信した時刻とを対応付ける情報を含み、
前記制御部は、前記第１のインタラクションデータに含まれる前記第１情報が、第１の時刻に前記第２の端末装置の識別情報を含む前記無線信号を前記第１の端末装置が受信したことを示す情報を含み、かつ、前記第２のインタラクションデータに含まれる前記第１情報が、前記第１の時刻に前記第１の端末装置の識別情報を含む前記無線信号を前記第２の端末装置が受信したことを示す情報を含まない場合、前記第２のインタラクションデータに含まれる前記第１情報に、前記第１の時刻に前記第１の端末装置の識別情報を含む前記無線信号を前記第２の端末装置が受信したことを示す情報を追加することを特徴とするインタラクションデータ処理装置。
【請求項２９】
端末装置のインタラクションデータを表示するインタラクションデータ表示方法であって、
前記インタラクションデータは、前記端末装置が他の前記端末装置と対面したか否かを示す第１情報と、前記端末装置の状態を示す情報であって、前記第１情報及び前記端末装置の位置を示す情報を除く第２情報と、を含み、
前記表示部は、前記受信部が受信した前記インタラクションデータに含まれる前記第１情報及び前記第２情報を、前記第１及び第２情報が取得された時刻に基づいて対応付けて表示することを特徴とする方法。